(57)【特許請求の範囲】
【請求項１】
車両が載置され、所定の厚さの床板を有し、当該床板が立体的に配置された立体駐車装置において、前記床板に水抜き孔が設けられ、前記水抜き孔の下側開口縁は環状に連続する曲線又は一部に直線を含む連続した線であり、前記水抜き孔の上側開口縁は曲線又は一部に直線を含む線を基調とし一部に不連続部がある環状形状であることを特徴とする立体駐車装置。
【請求項２】
床板は、車両を搭載する移動式のパレットであり、辺部が複数の点または線で他の部材に支持され、昇降及び／又は走行するものであることを特徴とする請求項１に記載の立体駐車装置。
【請求項３】
水抜き孔は円形又は楕円形を基調とした孔であり、上側開口縁の一部が水平方向に変位し、上側開口縁は曲線を基調とし前記変位部分によって不連続部が形成されていることを特徴とする請求項１又は２に記載の立体駐車装置。
【請求項４】
水抜き孔は円形又は楕円形を基調とした孔であり、上側開口縁の一部が垂直方向に変位し、上側開口縁は曲線を基調とし前記変位部分によって不連続部が形成されていることを特徴とする請求項１乃至３のいずれかに記載の立体駐車装置。
【請求項５】
水抜き孔は円形又は楕円形を基調とした孔であり、上側開口縁の一部に下向きに傾斜する傾斜部があり、上側開口縁は曲線を基調とし前記傾斜部によって不連続部が形成されていることを特徴とする請求項１乃至４のいずれかに記載の立体駐車装置。
【請求項６】
水抜き孔は円形又は楕円形を基調とした孔であり、上側開口縁の一部が下側開口縁に至らない深さに切り欠かれていて下側開口縁が環状に連続する曲線であり、上側開口縁は曲線を基調とし前記切り欠き部分によって不連続部が形成されていることを特徴とする請求項１乃至５のいずれかに記載の立体駐車装置。
【請求項７】
前記切り欠き部分の平面形状は、水抜き孔側に広がり水抜き孔に対して反対側となる奥側が狭い形状であることを特徴とする請求項６に記載の立体駐車装置。
【発明の詳細な説明】
【技術分野】
【０００１】
本発明は立体駐車装置に関するものであり、特に屋根を持たない立体駐車装置として好適である。
【背景技術】
【０００２】
限られた面積の土地を有効に活用し、より多数の自動車を駐車させる装置として、立体駐車装置が知られている。
立体駐車装置は、自動車（車両）を立体的に駐車させる装置である。立体駐車装置には、大きく分けて固定構造式のものと昇降式のものがある。昇降式の立体駐車装置は、自動車を載置するパレットと、このパレットを昇降させる昇降機構を有している。
昇降式の立体駐車装置では、パレットに自動車を載置し、パレットを昇降装置で上下に移動して所定の階に自動車を配置する。
【０００３】
立体駐車装置には、ビルの一部に組み込まれたものと、屋外に単独で設置されたものがある。
屋外に単独で設置される立体駐車装置は、多くの場合、天井を持たない。そのため雨がふると、床面が濡れる。
ビルの一部に組み込まれた立体駐車装置は、天面がビル自体の天井に覆われており、床面に直接雨がかかることはないが、自動車のボディやタイヤ等に付着した雨水が落ちて濡れる。
【０００４】
また昇降式の立体駐車装置は、パレットの重量を低減する目的から、パレットの縁にリブが設けられている。
例えばパレットは、補強目的とタイヤの脱輪を防ぐ目的から周囲に縦壁があり、その内側に鋼板が貼られた構造となっている。そのためパレットは、周囲の縁が隆起し、中央が窪んだ皿形状となっている。
そのためパレット上に雨が落ちると、パレットの窪み部分に雨が溜まる。
特に、チェーン等でパレットを吊り下げる構造の立体駐車装置では、パレットの自重や車両の重量によってパレットの中央が僅かに撓み、全体がより皿状となり、雨が溜まってしまう。
そこで、屋外に設置される立体駐車装置では、パレットに水抜き用の孔が設けられている。
【先行技術文献】
【特許文献】
【０００５】
【特許文献１】特開２００４−２２５３５６号公報
【発明の概要】
【発明が解決しようとする課題】
【０００６】
前記した様に、立体駐車装置のパレットには、水抜き用の孔が設けられている。しかしながら、現実には、パレットの上に大量の水が溜まり、使用者に不快感を与えていた。
そこで本発明者らは、実験を繰り返し、パレット上に大量に水が溜まってしまう原因を調査した。
調査の結果、パレットに水抜き孔があるものの、水の表面張力で水抜き孔に水の膜が生じてしまい、孔が実質的に水膜で塞がれてしまうことが原因であることが判明した。
【０００７】
図１１は、従来技術のパレット１０１の水抜き孔部分の断面図であり、（ａ）乃至（ｆ）は、水が溜まる様子を順次示している。
従来技術の水抜き孔１００は、平面形状が円形の孔である。また孔の断面形状は、いずれの部位も同じ円形である。
従来技術のおいて、パレット１０１に雨が落ちると、雨は図１１（ｂ）の様に水抜き孔１００以外の部分に溜まり、次第に専有面積を拡大して水抜き孔１００に迫ってゆく。
【０００８】
そして遂には図１１（ｃ）の様に水が水抜き孔１００の縁に至る。しかしながら表面張力により水はただちには落下せず、水抜き孔１００の縁で止まる。そして図１１（ｄ）の様にパレット１０１の水位が少しだけ上昇するまで、水は水抜き孔１００でせき止められる。
【０００９】
水位がある程度上昇すると、水の自重が水の表面張力よりも大きくなり、水は水抜き孔１００に一気に流れ込む。しかしながら、水抜き孔１００の周囲から水が一気に流れ込むので、水抜き孔１００の中心部分で水どうしが当たってつながり、図１１（ｅ）の様に水抜き孔１００に水膜１０２を作ってしまう。そのため水は、水抜き孔１００から落下しにくくなり、図１１（ｆ）の様に、パレット１０１上の水位が上昇し、パレット１０１上に深い水たまりができてしまう。
【００１０】
この対策として、水抜き孔１００の径を大きくすることが考えられる。またパレット１０１をエクスパンドメタル等の網状の部材で構成する方策も考えられる。
これらの方策は、水はけを良くするという観点からは推奨されるが、パレットの剛性を低下させてしまうという問題がある。
【００１１】
そこで本発明は、従来技術の上記した問題点に注目し、水はけがよく、且つ床板の剛性を過度に低下させることのない立体駐車装置を開発することを課題とするものである。
【課題を解決するための手段】
【００１２】
上記した課題を解決するための請求項１に記載の発明は、車両が載置され、所定の厚さの床板を有し、当該床板が立体的に配置された立体駐車装置において、前記床板に水抜き孔が設けられ、前記水抜き孔の下側開口縁は環状に連続する曲線又は一部に直線を含む連続した線であり、前記水抜き孔の上側開口縁は曲線又は一部に直線を含む線を基調とし一部に不連続部がある環状形状であることを特徴とする立体駐車装置である。
【００１３】
床板は上下や水平方向に移動する移動式のものであってもよく、固定式のものであってもよい。
「不連続部」とは曲線や直線がなだらかに繋がっていない部分を言う。例えば「不連続部」の周囲は、一定の関数で表現される線であるが、その中途に、周囲の曲線を表現する関数の線とは異なる部分がある。接線の傾きが急変する部分も「不連続部」に含まれる。
例えば、孔の基調部分が、「Ｘ2 ＋Ｙ2 ＝ｒ2 」（円の方程式）や楕円の方程式等の曲線の方程式に当てはまるが、この式が当てはまらない場合が「不連続部」に含まれる。
孔の基調部分が、「Ｘ2 ＋Ｙ2 ＝ｒ2 」（円の方程式）や楕円の方程式等の曲線の方程式に当てはまるが、一部に直線部分や局所的な円弧部分があり、当該部分の基端部の接線の傾きが、近傍の部分の接線の傾きが大きく相違する部分も「不連続部」に含まれる。
また基調とする部分とは異なる数式で表現される部分や、基調とする部分の線に対して角度をもって繋がる部分も「不連続部」に含まれる。
なお、孔は危険防止のために面取りされることが普通であり、その際に微小な傷や、凹凸が生じるが、これらは「不連続部」には含まない。
本発明の立体駐車装置では、水抜き孔の上側開口縁は、例えば円、楕円、長円、ダルマ形等の曲線や、長孔等の様に円弧部分と直線部分を含むが両者が円滑に繋がった形状を基調としているが、その一部に不連続部がある。例えば接線の傾きが急変する部分等がある。
そのため水抜き孔の縁で水がせき止められるが、不連続部については、他の部分にさきがけて破壊される。メカニズムを説明すると、水は表面張力によって表面積が最小になろうとし、表面（壁面）が曲面を呈するのに対し、不連続部は曲線や直線が急変する部分であるから、水の表面形状が不連続部の辺と合致せず、水がこぼれ落ちる。不連続部においては、水の表面張力の均衡が破れて水が流れ出すとも考えられる。
そのため水抜き孔に不連続部があると、水抜き孔に水膜が生じにくい。また水膜が発生したとしても、破壊されやすい。
本発明では、不連続部があるのは上面側だけであり、下面側は、環状に連続する。そのため床面の剛性は過度には低下しない。
即ち、床板の自重や、車両の重量によって、床板は「下に凸」の形状に撓む。そのため床板の上面は圧縮力を受け、下面は引っ張り力を受ける。
ここで引っ張り側にキズがあれば、当該部分に応力が集中して、床板の破壊が進むが、本発明では、水抜き孔の引っ張り側の縁は、環状に連続する形状であって応力集中を起こしにくい。そのため床板の剛性は過度には低下しない。
【００１４】
請求項２に記載の発明は、床板は、車両を搭載する移動式のパレットであり、辺部が複数の点または線で他の部材に支持され、昇降及び／又は走行するものであることを特徴とする請求項１に記載の立体駐車装置である。
【００１５】
請求項３に記載の発明は、水抜き孔は円形又は楕円形を基調とした孔であり、上側開口縁の一部が水平方向に変位し、上側開口縁は曲線を基調とし前記変位部分によって不連続部が形成されていることを特徴とする請求項１又は２に記載の立体駐車装置である。
【００１６】
請求項４に記載の発明は、水抜き孔は円形又は楕円形を基調とした孔であり、上側開口縁の一部が垂直方向に変位し、上側開口縁は曲線を基調とし前記変位部分によって不連続部が形成されていることを特徴とする請求項１乃至３のいずれかに記載の立体駐車装置である。
【００１７】
請求項５に記載の発明は、水抜き孔は円形又は楕円形を基調とした孔であり、上側開口縁の一部に下向きに傾斜する傾斜部があり、上側開口縁は曲線を基調とし前記傾斜部によって不連続部が形成されていることを特徴とする請求項１乃至４のいずれかに記載の立体駐車装置である。
【００１８】
請求項６に記載の発明は、水抜き孔は円形又は楕円形を基調とした孔であり、上側開口縁の一部が下側開口縁に至らない深さに切り欠かれていて下側開口縁が環状に連続する曲線であり、上側開口縁は曲線を基調とし前記切り欠き部分によって不連続部が形成されていることを特徴とする請求項１乃至５のいずれかに記載の立体駐車装置である。
【００１９】
請求項７に記載の発明は、前記切り欠き部分の平面形状は、水抜き孔側に広がり水抜き孔に対して反対側となる奥側が狭い形状であることを特徴とする請求項６に記載の立体駐車装置である。
【発明の効果】
【００２０】
本発明の立体駐車装置は、水抜き孔に水膜が生じにくい。また水膜が発生したとしても、水膜は破壊されやすい。そのため本発明の立体駐車装置は、床板の水はけがよい。また本発明の立体駐車装置は、床板の剛性が確保されている。
【図面の簡単な説明】
【００２１】
【図１】本発明の実施形態の立体駐車装置の斜視図である。
【図２】本発明の実施形態の立体駐車装置の立体的な機構図である。
【図３】パレット（床板）の斜視図である。
【図４】水抜き孔の拡大斜視図である。
【図５】（ａ）は水抜き孔の平面図、（ｂ）は水抜き孔の正面断面図、（ｃ）は水抜き孔の底面図である。
【図６】（ａ）は、図５のＡ−Ａ断面図、（ｂ）は、図５のＢ−Ｂ断面図、（ｃ）は、図５のＣ−Ｃ断面図である。
【図７】（ａ）は、図５のＤ−Ｄ断面図、（ｂ）は、図５のＥ−Ｅ断面図、（ｃ）は、図５のＦ−Ｆ断面図である。
【図８】（ａ）乃至（ｉ）は、水抜き孔の変形例を示す平面図である。
【図９】水抜き孔に掛かる力を説明する説明図である。
【図１０】本発明の他の実施形態の立体駐車装置の斜視図である。
【図１１】従来技術のパレットの水抜き孔部分の断面図であり、（ａ）乃至（ｆ）は、水が溜まる様子を順次示している。
【発明を実施するための形態】
【００２２】
以下さらに本発明の実施形態について説明する。
本実施形態の立体駐車装置１は、地上４階地下一階構造の立体駐車装置である。なお図１には、地下部分の図示を省略している。
立体駐車装置１は、フレーム４を有している。フレーム４は、柱１１と梁１２等によって構築された構造物であり、地上４階構造となっている。
そしてフレーム４によって各階にそれぞれ４室の車両設置エリアが作られている。
最上階たる４階には、全ての車両設置エリアにパレット（床板）２がある。これに対して４階よりも下の下層階（３階、２階、１階）に設置されたパレット２の数は、車両設置エリアの数よりも少ない。
【００２３】
最上階たる４階の車両設置エリアは、パレット２を昇降させる昇降機構８を備えている。これに対して下層階（３階、２階、１階）の車両設置エリアは、パレット２を昇降させる昇降機構と、パレット２を横行させる横行機構を備えている。
パレット２を横行させる機構は、パレット２自身に横行車輪を設け、横行レールに横行車輪が載置されたものである（図示せず）。
【００２４】
本実施形態の立体駐車装置１では、昇降機構８は、図２の様に４本のチェーン３ａ，３ｂ，３ｃ，３ｄを利用している。そして４本のチェーン３ａ，３ｂ，３ｃ，３ｄでパレット２を吊り下げている。
この様に本実施形態の立体駐車装置１は、一台の車両を搭載する移動式のパレット（床板）２を有している。そしてこのパレット（床板）２は、長辺側の２点でチェーン３ａ，３ｂ，３ｃ，３ｄによって吊り下げ支持されており、チェーン３ａ，３ｂ，３ｃ，３ｄをモータ５で巻き上げることによって昇降する。
【００２５】
また他の階のパレット２は、同様にチェーンによって吊り下げられていると共に、車輪によって横方向にも走行する。
車輪は、パレット２の短辺に設けられており、走行機構を有するパレット２は、辺部の線で他の部材に支持されて走行する。
この様に本実施形態のパレット２は、中空状態に置かれるものであり、辺部が複数の点または線で他の部材に支持されている。そのため、自重や車両の重量によって中央部分が下に凸形状に撓む。
【００２６】
次に、パレット２について説明する。
パレット２は、鋼板によって作られたものであり、平面形状は図３の様に長方形をしている。なおパレット２の底には、図示しない補強桟が設けられている。
パレット２は、図３の様に幅方向に３エリアＡ，Ｂ，Ｃに分かれている。両端側のエリアＡ，Ｃは、タイヤ載置エリアであり、表面は平滑である。
中央エリアＢは、車両のシャーシの下となる部分である。中央エリアＢは、補強のために波板１０が設置されている。
【００２７】
パレット２の長辺には、補強目的とタイヤの脱輪を防ぐ目的から周囲に縦壁１３が設けられている。そのため中央部分が相対的に窪んだ形状となっている。
従って雨水は、タイヤ載置エリアＡ，Ｃに溜まることとなる。
そして本実施形態の立体駐車装置１では、パレット２のタイヤ載置エリアＡ，Ｃに水抜き孔１５が設けられている。
本実施形態では、各タイヤ載置エリアＡ，Ｃに６個ずつ水抜き孔１５が設けられているが、水抜き孔１５の個数及び位置、レイアウト等は任意である。
【００２８】
本実施形態で採用する水抜き孔１５は、図４の様に円を基調とする孔である。
本実施形態で採用する水抜き孔１５は、円を基調とし、３か所に切り欠き１６ａ，ｂ，ｃが設けられている。切り欠き１６ａ，ｂ，ｃの間隔は不均等であり、切り欠き１６ａと切り欠き１６ｂの間及び切り欠き１６ｂと切り欠き１６ｃの間は９０度であるが、切り欠き１６ｃと切り欠き１６ａの間は１８０度開いている。
切り欠き１６ａ，ｂ，ｃは、いずれもパレット２の上面にだけ設けられた欠落部であり、パレット２の下面にまでは至っていない。即ちパレット２に設けられた水抜き孔１５の開口縁は、上側開口縁１７の一部が下側開口縁に至らない深さに切り欠かれている。
そのため水抜き孔１５の下面には、切り欠き１６ａ，ｂ，ｃの痕跡はなく、下側開口縁１８の形状は円である。
【００２９】
この様に本実施形態では、水抜き孔１５は円形を基調とした孔である。そして上側開口縁１７の一部が下側開口縁１８に至らない深さに切り欠かれている。そのため下側開口縁１８は環状に連続する曲線（円）であるが、上側開口縁１７は円を基調とし切り欠き部分によって不連続部が形成されている。即ち下側開口縁１８は曲線が切れ目無くなだらかに繋がった形状であり、線が連続している。下側開口縁１８は不連続部が無く、一定の関数で表現される線である。下側開口縁１８の形状は接線の傾きは連続的に変化する。
これに対して上側開口縁１７は、概ね円形ではあるが、部分的に欠落部分があって不連続である。上側開口縁１７は、曲線がなだらかに繋がっていない「不連続部」がある。欠落部分では、接線の傾きが急変している。
【００３０】
以下、水抜き孔１５及び切り欠き１６ａ，ｂ，ｃの形状について詳細に説明する。
水抜き孔１５は、切り欠き１６ａ，ｂ，ｃを除くと真円の孔である。本実施形態においては、水抜き孔１５の直径は、１０ｍｍから３０ｍｍ程度である。なおこの数値は一例に過ぎない。水抜き孔１５の直径が大きいと、切り欠き１６ａ，ｂ，ｃの効果が低下する。即ち水抜き孔１５の直径が過度に大きいと、切り欠き１６ａ，ｂ，ｃが無くても水膜は生じにくい。その反面、水抜き孔１５の直径が大きいと、パレットの剛性が低下する。
水抜き孔１５の直径が小さいと、仮に切り欠き１６ａ，ｂ，ｃを設けても水膜ができ易い。ただし切り欠き１６ａ，ｂ，ｃをより大きくすれば水膜の形成をある程度防ぐことができる。
パレット２は、公知の構造用圧延鋼であり、本実施形態では、３．２ｍｍの厚さのものが採用されている。パレット２を構成する鋼材の厚さは任意であり、２．８ｍｍから４．０ｍｍ程度のものが一般に採用されているが、厚さが厚いほど、水同士が当たってつながる領域が増えるため。水膜が形成されやすい傾向がある。
【００３１】
本実施形態では、切り欠き１６ａ，ｂ，ｃは平面形状が三角形であり、その頂点２０の角度は、９０度から２０度程度に設定されている。本実施形態では、頂点２０の角度は、６０度程度である。ただしこの数値は一例に過ぎず、本発明がこの数値に限定されるものではない。
切り欠き１６ａ，ｂ，ｃの奥（頂点２０）は必ずしも角張っている必要はないが、本実施形態では、図５の様に辺を構成する線２０，２１を延長して結んだ点の角度が、前記した様に９０度未満となっている。
本実施形態では、図５の様に欠き部分の水抜き孔側の幅を底辺２２とし、当該底辺２２と接する２辺（２０，２１）によって構成される二つの角θ１、θ２（シータ１，シータ２）の合計が、９０度以上１８０度未満となる様に設定している。
【００３２】
また前記した様に切り欠き１６ａ，ｂ，ｃの平面形状は三角形であるから、上側開口縁１７の一部が水平方向に変位している。水平方向変位量Ｇは、例えば水抜き孔１５の直径の５パーセントから２５パーセント程度である。
水平方向変位量Ｇは、大きいほど水の表面張力による曲線から外れるので、表面張力の均衡を破って水を流し易くする。ただし水平方向変位量Ｇが大きいと、使用者がつまずく場合がある。逆に水平方向変位量Ｇが小さいと、使用者がつまずくことはないが、水の流れは思わしくないこととなる。
【００３３】
また前記した様に、切り欠き１６ａ，ｂ，ｃの深さは、下側開口縁１８に至らない深さであり、水抜き孔１５は上側開口縁１７の一部が垂直方向に変位していると言える。垂直方向の変位量Ｈは、一例としてパレット２の厚さの１０パーセントから９０パーセント程度である。また４０パーセントから７０パーセントであってもよい。
切り欠き１６ａ，ｂ，ｃの垂直方向の変位量Ｈは、大きいほど真円部分の厚みが減るため、水膜が形成し難くなり、水が流れ易くなるが、パレット２の剛性（特に下面側の強度）が低下する。逆に切り欠き１６ａ，ｂ，ｃの垂直方向の変位量Ｈが小さい場合は、下面側の真円部分の厚みが増し、パレット２の剛性は向上するが、水の流れはいくらか悪くなる。
【００３４】
切り欠き１６ａ，ｂ，ｃは、水が流れる溝として機能するが、溝の断面形状は、図７の様にいずれの位置についても三角形である。
ただし溝の深さは、奥（頂点２０側）に行くほど浅くなっていく。即ち切り欠き１６ａ，ｂ，ｃによって形成される溝は、底２３が傾斜している。
底２３の傾斜角度θ３（シータ３）は、円滑に水が流れる勾配であることが望ましく、例えば３０度から８０度程度である。本実施形態では６０度である。
【００３５】
また溝の側壁２５についても図７の様に傾斜している。側壁２５のなす角θ４（シータ４）は、例えば４５度から１００であり、３０度から１２０度であってもよい。本実施形態では、９０度である。
【００３６】
本実施形態で採用するパレット２では、水抜き孔１５に切り欠き１６があるから、水抜き孔１５の周囲に水のせきができた際、水のせきは表面張力によって壁面が曲面になろうとする。これに対して切り欠き１６ａ，ｂ，ｃの角部は基調部分の曲線から外れていて水のせきの形状と一致せず、せきに掛かる水圧が不均衡になる。そのため切り欠き１６からせきが破れる。また切り欠き１６は傾斜姿勢の溝を構成しているから、水は溝に沿って下に流れる。
仮に切り欠き１６ａ，ｂ，ｃの下面の水膜が形成されているか、あるいは形成されようとしていても、切り欠き１６から流れこむ水流は他の部分に比べて強いので、当該水流によって水膜が突き破られる。そのためパレット２上の水は、水抜き孔１５から円滑に排水され、パレット２上に溜まらない。
【００３７】
またパレット２の自重や車両の重量によってパレット２は、図９（ａ）の下に凸形状に撓み、上側に圧縮応力が掛かり、下側に引っ張り応力が掛かる。しかしながら本実施形態体では、水抜き孔１５の下側開口縁１８は環状に連続していて応力集中は起きない。即ち水抜き孔１５の下側開口縁１８は上側開口縁１７と形状が異なり、不連続部は無い。そのため剛性の低下は小さい。
なお図９（ｂ）の様に、仮に水抜き孔１５の下側開口縁１８に切り欠き１６を設けると、切り欠き部分に応力集中が生じて亀裂が発生する懸念がある。
【００３８】
次に、水抜き孔１５の変形例について説明する。なお図８は、いずれも水抜き孔３０，３１，３２，３３，３４，３５，３６，４０，４５の上側開口縁を図示したものである。水抜き孔３０，３１，３２，３３，３４，３５，３６，４０，４５の上側開口縁には不連続部があるが、下側開口縁には不連続部は無い。
上記した水抜き孔１５は円を基調とした孔であり、下側開口縁は環状に連続する円であった。しかしながら本発明は円に限定されるものではなく、図８（ｃ）の水抜き孔３２や、図８（ｈ）の水抜き孔４０の様な楕円形や長円を基調とするものであってもよい。基調とする形状は、曲線のみでなく直線と曲線が混じったものであってもよいが、境界部分４１はなだらかであり、不連続部を除いて接線の傾きに急変部分はない。また図８（ｄ）（ｅ）の水抜き孔３３，３４の様なダルマ形孔であってもよい。また図８（ｅ）の水抜き孔３４の平面形状は、一部に直線部分４３がある。ただし直線部分４３は他の部分となだらかに繋がっており、境界部分の接線の傾きは同一である。
【００３９】
切り欠き１６の数や位置は任意であり、図８（ａ）の水抜き孔３０の様に一つでもよく。図８（ｂ）の水抜き孔３１の様に多数でもよい。また切り欠き１６の配置は、図８（ｂ）の水抜き孔３１の様に均等であってもよいが、水膜に対して不均一に力を加える観点からは、水抜き孔のレイアウトは不均一である方がよい。
【００４０】
切り欠き１６の平面形状は、先の実施形態では三角形であったが、他の形状であってもよい。例えば、図８（ｆ）の水抜き孔３５の様な円弧状や「Ｕ」字状であってもよく、図８（ｇ）の水抜き孔３６の様に四角形であってもよい。即ち接線の接線の傾きが急変し、角の様な部分があればよい。
また不連続部は、図８（ｉ）の水抜き孔４５の様に内側に突出したものであってもよい。
【００４１】
上記した実施形態の立体駐車装置１は、昇降装置８を有する移動式のパレット２を備えたものであるが、本発明は、移動式のパレット２を有するものに限定されるものではない。
例えば図１０に示す立体駐車装置５０の様な固定式の床板５１だけを有するものであってもよい。
図１０に示す立体駐車装置５０は、架台５２によって２階建てに構成されたものであり、自動車は、スロープ５３を走行して２階に上がる。
二階には、中央に走行路５５があり、その周囲に床板５１が並べられている。
床板５１には、前記した構造の水抜き孔（図示せず）が多数設けられている。
【符号の説明】
【００４２】
１  立体駐車装置
２  パレット（床板）
３ａ，３ｂ，３ｃ，３ｄ  チェーン
８  昇降機構
１５  水抜き孔
１６ａ，ｂ，ｃ切り欠き
１７  上側開口縁
１８  下側開口縁
３０，３１，３２，３３，３４，３５，３６，４０，４５  水抜き孔
５０  立体駐車装置
５１  床板
【図１】
0006546472.tif 000002
【図２】
0006546472.tif 000003
【図３】
0006546472.tif 000004
【図４】
0006546472.tif 000005
【図５】
0006546472.tif 000006
【図６】
0006546472.tif 000007
【図７】
0006546472.tif 000008
【図８】
0006546472.tif 000009
【図９】
0006546472.tif 000010
【図１０】
0006546472.tif 000011
【図１１】
0006546472.tif 000012